(57)【要約】【課題】エコロジー技術を達成しつつ夜間等照度の低い工場内等においても操作が容易に行えるようになした温度調節器等の電子機器を提供する。【解決手段】制御ユニットを収容する電子機器筐体２の前面部４ａに表示板６を貼付して構成する場合、記表示板６は、設定値等を表示する表示領域部６ａと前記制御ユニット等を操作するための操作領域部６ｂとを有して構成し、操作領域部６ｂに前記制御ユニットを制御するためのボタン部６ｂ−１を形成して構成しており、ボタン部６ｂ−１に対向する表示板６の裏面側に、蓄光剤塗布部１０を形成し、蓄光剤塗布部１０を前面部４ａにおけるボタン部６ｂ−１の前面側に透過表示するようにした。【選択図】図１
2008263145.tif 000002
【特許請求の範囲】
【請求項１】
制御ユニットを収容する電子機器筐体の前面部に表示板を貼付して構成する温度調節器等の電子機器であって、
前記表示板は、設定値等を表示する表示領域部と前記制御ユニット等を操作するための操作領域部とを有し、前記操作領域部に前記制御ユニットを制御するためのボタン部を形成して構成しており、前記ボタン部に対向する前記表示板の裏面側に、蓄光顔料からなる蓄光剤塗布部を形成し、該蓄光剤塗布部を前記表示板における前記ボタン部前面側に透過表示したことを特徴とする温度調節器等の電子機器。
【請求項２】
前記表示板の前面に、透明体からなる抗菌剤被覆層部を形成したことを特徴とする請求項１に記載の温度調節器等の電子機器。
【発明の詳細な説明】
【技術分野】
【０００１】
本発明は、制御ユニットを収容する電子機器筐体の前面部に表示板を貼付して構成する温度調節器等の電子機器に関するものである。
【０００２】
本発明に係る電子機器は、温度調節器のほかに、タイマーあるいはデジタルパネルメータ等の電子機器が含まれ、複数台を制御パネルに設置して使用される電子機器として特に開発されたものである。
【背景技術】
【０００３】
この種の従来の電子機器は、制御ユニットを構成する子基板や外部機器に接続する端子などを収容するリアケースと、リアケースの表面部に配置されて表示器ユニットを構成するメイン基板が収容されたフロントケースとからなる電子機器筐体を有して構成している。
【０００４】
フロントケースの前面部には、樹脂板材からなる表示板が貼付されている。当該表示板は、前記表示ユニットから出力された設定値等を表示する表示領域部と、前記制御ユニット等を操作するための操作領域部とを有して構成しており、前記表示領域部を透明にすると共に、前記操作領域部は前記制御ユニットを制御するためのボタン部が形成されている。
【０００５】
そして、このように構成する電子機器は、工場等に設置された制御パネルに複数個配置されて、使用されることになる。
【０００６】
すなわち、制御パネルには、予め複数個の取付け孔が形成されて、この取付け孔に電気機器筐体のリアケース側から挿通させると共に、フロントケースの前面部の周壁部に膨出フランジ部を形成して、該膨出フランジ部を前記制御パネルの前面壁に当接した状態で、前記リアケースに固定用のフィックスチャーを嵌合して、前記制御パネルに複数個の電子機器を配置装着するようにしていた（特許文献１−３参照）。
【特許文献１】特開２００４−１２８１３７号公報
【特許文献２】特開２０００−１７４４４６号公報
【特許文献３】特開２０００−２０８９５１号公報
【発明の開示】
【発明が解決しようとする課題】
【０００７】
上記のように制御パネルに配置された各電子機器は、工場等において、作業者が表示領域部に表示された設定値等を見ながら、操作領域部のボタン部を押しながら、当該作業に適合した制御状態を設定することにより、工場等の設備の運転制御を行うことになる。
【０００８】
そして、このような電子機器は、工場における照度が常に適正な状態で使用されるものとは限らず、夜間等照度が非常に低い状態において使用されることがあり、このために、従来では表示領域部にＬＣＤ等を用いると共に、電子機器筐体内に操作領域部のボタン部を照明するバックライト装置を備えて、たとえ工場内の照度が低い状態であったとしても、当該バックライト装置により操作領域部のボタン部を照明して、ボタン部をみやすくしかも操作をしやすくするように構成されていた。
【０００９】
しかしながら、このようにバックライト装置を使用する結果、電子機器の消費電力をその分増加させることになり、エコロジー技術が求められている現代においては、必ずしも好ましいとはいい切れない。
【００１０】
又、この種の電子機器は、例えば食品工場などにおいて多く使用されていることから、生活環境の衛生状態の保持のためには、常に殺菌等の処置をしなければならないが、必ずしも、常時好ましい衛生状態に保持するのは面倒で、図らずも、微生物を発生・生育・増殖させてしまうことにもなりかねない。
【００１１】
そこで、本発明は、第１の目的として、エコロジー技術を達成しつつ夜間等照度の低い工場内等においても操作が容易に行えるようになした温度調節器等の電子機器を提供することにあり、第２の目的として、生活環境の衛生状態を保持するために常に抗菌状態を確保できるように構成した温度調節器等の電子機器を提供することを目的としている。
【課題を解決するための手段】
【００１２】
本発明に係る温度調節器等の電子機器は、上記第１の目的を達成するために、制御ユニットを収容する電子機器筐体の前面部に表示板を貼付して構成する温度調節器等の電子機器であって、前記表示板は、設定値等を表示する表示領域部と前記制御ユニット等を操作するための操作領域部とを有し、に前記操作領域部に前記制御ユニットを制御するためのボタン部を形成して構成しており、前記ボタン部に対向する前記表示板の裏面側に、蓄光顔料からなる蓄光剤塗布部を形成し、該蓄光剤塗布部を前記表示板における前記ボタン部前面側に透過表示したことを特徴とする。
【００１３】
かかる構成を有することにより、表示板の操作領域部におけるボタン部に対向する裏面に蓄光材塗布部を形成したことにより、たとえば昼間等の工場内の照度が比較的高い時間帯に当該蓄光材塗布部には、光が蓄積されることになり、蓄積された光は夜間等工場内が暗くなった場合には、バックライト装置等を用いなくても、ボタン部を照光することができ、作業者によるボタン操作を容易にしかも誤りのないように行なわしめると共に、エコロジー技術として、好適であるといえる。
【００１４】
更には、蓄光材塗布部は、表面板の裏側に形成したことにより、ボタン部の操作のために表示板に作業者の手等によって繰り返し触れられたとしても、表示板から剥離することはない。
【００１５】
又、本発明に係る温度調節器等の電子機器は、上記第２の目的を達成するために、前記表示板の前面に、透明体からなる抗菌剤被覆層部を形成したことを特徴とする。
【００１６】
従って、表示板は、抗菌剤被覆層により微生物の発生・生育・増殖を抑制して、常時生活環境の衛生状態を保持することができることになる。
【発明の効果】
【００１７】
上記のように構成する本発明によれば、表示板の操作領域部におけるボタン部に対向する裏面に蓄光材塗布部を形成したことにより、たとえば昼間等の工場内の照度が比較的高い時間帯に当該蓄光材塗布部には、光が蓄積されることになり、蓄積された光は夜間等工場内が暗くなった場合には、バックライト装置等を用いなくても、ボタン部を照光することができ、作業者によるボタン操作を容易にしかも誤りのないように行なわしめると共に、エコロジー技術として、好適であるといえる。
【発明を実施するための最良の形態】
【００１８】
次に、本発明に係る実施の形態について、図１乃至図３を用いて説明する。
【００１９】
図１は本発明に係る電子機器のうち温度調節器に適用した場合の実施例を描画した斜視図、図２は図１における表示板を描画した正面図、図３は図２のＡ−Ａ断面図、図４は図３における要部拡大断面図、図５は図１に示す実施例の使用状態を描画した斜視図である。
【００２０】
図１において、電子機器としての温度調節器１は、電子機器筐体２を有して構成している。電子機器筐体２は、制御ユニットを構成する子基板(不図示)や外部機器に接続する端子２などを収容するリアケース３と、リアケース３の表面部側に配置されて表示器ユニットを構成するメイン基板５を収容するフロントケース４とで構成している。
【００２１】
フロントケース４の前面部４ａには、薄板製の表示板６が貼付されている。
【００２２】
表示板６は、図２に示すように、前記表示ユニットから出力された設定値等を表示する表示領域部６ａと、前記制御ユニット等を操作するための操作領域部６ｂとを有して構成している。
【００２３】
表示領域部６ａは、透明にすることによってメイン基板５から出力された制御値等をＬＣＤ等の不図示の表示装置を介して透過表出するように構成されている。
【００２４】
操作領域部６ｂは前記制御ユニットを制御するためのボタン部６ｂ−１が複数個形成されている。
【００２５】
ボタン部６ｂ−１は、表示板６を少量膨出させた状態で、対向配置したプランジャ６ｂを押動操作して、メイン基板５側に設けたスイッチ部５ａを操作できるように構成されている。
【００２６】
そして、表示板６は、ＰＥＴ等の樹脂材料からなる基材７と、基材７の表面部側の前面に形成した抗菌剤被覆層部８と、基材７の裏面側に印刷された黒色塗装部９と、やはり基材７の裏面側におけるボタン部６ｂ−１の外周部等を形取るように形成された蓄光剤塗布部１０と、黒色塗装部９におけるフロントケース４の前面部４ａに対向する面に貼付された接着剤層部１１とを有して構成され、接着剤層部１１を用いて、フロントケース４の前面部４ａにシール材１１ａを介して貼付設置されるようになっている。
【００２７】
基材７は、表示領域部６ａおよび操作領域部６ｂにおけるボタン部６ｂ−１を除いて、黒色塗装部９が透過して、黒色になっており、ボタン部６ｂ−１の部分は、たとえば薄灰色となって、領域を明確化している。
【００２８】
抗菌剤被覆層部８は、基材７の前面部全体に抗菌剤を含有したインクを印刷することにより構成しており、表示領域部６ｂ及び操作領域部６ｂが透過表出するように、透明になっている。
【００２９】
抗菌剤槽被覆層部８を構成する抗菌剤は、生活環境の衛生状態を保持するために、微生物の発生・生育・増殖を抑制する透明材料、例えば銀イオン剤等を使用するものである。
【００３０】
又、蓄光剤塗布部１０は、硫化亜鉛に銅を賦活させた蓄光顔料(ＺｎＳ：Ｃｕ)や酸化アルミニウムと酸化ストロンチウムの結晶化した蓄光材料(ＳｒＡｌ２０４)などで太陽光や蛍光灯等の光の刺激によりエネルギーを吸収して、吸収したエネルギーを可視光に変換して、外部光がなくなってもある時間内光を出し続ける特性を有する顔料を塗布することにより構成しており、に図２に明示するように、ボタン部６ｂ−１の外周部やボタン部６ｂ−１の機能を表示するマーク形状を呈しており、図４に詳細に示すように、黒色塗装部９の切欠き部９ａ内に埋設するように基材７に印刷形成されており、基材７のボタン部６ｂ−１を透過してフロントケース４の前面部４ａに表出するようになっている。
【００３１】
このように構成した温度調節器１は、図５に示すように、電子機器筐体２のリアケース３側を、制御パネル１２に設けた取付け孔(不図示)に嵌合挿通し、フロントケース４の前面部４ａの周壁部に形成した膨出フランジ部４ａ−１を制御パネル１２の前面壁に密着させた状態にして、リアケース３に不図示のフィックスチャーを嵌合することによって、制御パネル１２に配置装着されている。
【００３２】
そして、このように構成する温度調節器１は、通常、工場等においては、制御パネル１２に複数個配置した状態で、使用に供することになる。
【００３３】
上記のように構成することによって、表示板６の操作領域部６ｂにおけるボタン部６ｂ−１に対向する基材７の裏面に蓄光材塗布部１０を形成したことにより、たとえば昼間等の工場内の照度が比較的高い時間帯に当該蓄光材塗布部１０には、光が蓄積されることになり、蓄積された光は夜間等工場内が暗くなった場合には、バックライト装置等を用いなくても、ボタン部を照光することができ、作業者によるボタン操作を容易にしかも誤りのないように行なわしめることができると共に、エコロジー技術として好適であるといえ、しかも、たとえ、制御パネル１２に多くの温度調節器１が配置装着されているとしても、操作すべき温度調節器１を見誤ることなく、操作制御の確実性を保持することができる。
【００３４】
更には、蓄光材塗布部１０は、表面板６の裏側に形成したことにより、ボタン部６ｂ−１の操作のために表示板６に作業者の手等が繰り返し触れたとしても、表示板６から剥離することはない。
【００３５】
又、表示板６における基材７の前面部側は、前面に渡って抗菌剤被覆層部８によって被覆されていることから、例えば作業者によるボタン部６ｂ−１の操作によりたとえ微生物等が付着したとしても、微生物等の発生・生育・増殖が抑制されて、常時生活環境の衛生状態を保持することができることになる。
【産業上の利用可能性】
【００３６】
以上説明したように、本発明は、表示板の操作領域部におけるボタン部に対向する裏面に蓄光材塗布部を形成したことにより、たとえば昼間等の工場内の照度が比較的高い時間帯に当該蓄光材塗布部には、光が蓄積されることになり、蓄積された光は夜間等工場内が暗くなった場合には、バックライト装置等を用いなくても、ボタン部を照光することができ、作業者によるボタン操作を容易にしかも誤りのないように行なわしめることができると共に、エコロジー技術として、好適であるといえる。しかも、蓄光材塗布部は、表面板の裏側に形成したことにより、ボタン部の操作のために表示板に作業者の手等が繰り返し触れたとしても、表示板から剥離することはない。
【００３７】
このために、本発明は、制御ユニットを収容する電子機器筐体の前面部に表示板を貼付して構成する温度調節器等の電子機器等に好適であるといえる。
【図面の簡単な説明】
【００３８】
【図１】本発明に係る電子機器のうち温度調節器に適用した場合の実施例を描画した斜視図である。
【図２】図１における表示板を描画した正面図である。
【図３】図２のＡ−Ａ断面図である。
【図４】図３における要部拡大断面図である。
【図５】図１に示す実施例の使用状態を描画した斜視図である。
【符号の説明】
【００３９】
１    温度調節器(電子機器)
２    電子機器筐体
３    リアケース
４    フロントケース
４ａ  前面部
６    表示板
６ａ  表示領域部
６ｂ  操作領域部
６ｂ−１  ボタン部
７    基材
８    抗菌剤被覆層部
１０    蓄光剤塗布部
【図１】
2008263145.tif 000003
【図２】
2008263145.tif 000004
【図３】
2008263145.tif 000005
【図４】
2008263145.tif 000006
【図５】
2008263145.tif 000007